(57)【特許請求の範囲】
【請求項１】
液晶表示パネルと、設定された輝度設定値に基づいて前記液晶表示パネルの背面から光を照射するバックライトと、を有する液晶表示部を備える自動取引装置であって、
前記自動取引装置が取引を行った取引回数を記録する取引回数記憶部と、
前記取引回数が増加したときに前記バックライトが一定の輝度を保つように前記輝度設定値を変更して、前記バックライトに光を照射させる制御部と、
周囲の明るさを検出するための照度センサと、を備え、
前記制御部は、
前記照度センサの検出値がある基準値のときにおける前記輝度設定値のベース値を設定し、
前記検出値が前記基準値より小さいときに、前記輝度設定値を前記ベース値から小さくすることにより、前記バックライトの輝度を小さくし、
前記検出値が前記基準値より大きいときに、前記輝度設定値を前記ベース値から大きくすることにより、前記バックライトの輝度を大きくする、
自動取引装置。
【請求項２】
前記取引回数が増加したときに前記バックライトが一定の輝度を保つように補正された補正輝度設定値を記憶している補正値記憶部を備え、
前記制御部は、現時点での取引回数に対応した補正輝度設定値を前記補正値記憶部から呼び出して、前記補正輝度設定値に基づいて前記バックライトに光を照射させる
ことを特徴とする請求項１に記載の自動取引装置。
【請求項３】
前記取引回数が増加したときに前記バックライトが一定の輝度を保つように前記輝度設定値を補正するための補正係数を記憶している補正値記憶部を備え、
前記制御部は、現時点での取引回数に対応した補正係数を前記補正値記憶部から呼び出して、前記輝度設定値を補正し、補正された輝度設定値に基づいて前記バックライトに光を照射させる
ことを特徴とする請求項１に記載の自動取引装置。
【請求項４】
液晶表示パネルと、設定された輝度設定値に基づいて前記液晶表示パネルの背面から光を照射するバックライトと、を有する液晶表示部を備える自動取引装置における輝度調整方法であって、
前記自動取引装置が取引を行った取引回数を記録し、
前記取引回数が増加したときに前記バックライトが一定の輝度を保つように前記輝度設定値を変更して、前記バックライトに光を照射させ、
周囲の明るさを検出するための照度センサの検出値がある基準値のときにおける前記輝度設定値のベース値を設定し、
前記検出値が前記基準値より小さいときに、前記輝度設定値を前記ベース値から小さくすることにより、前記バックライトの輝度を小さくし、
前記検出値が前記基準値より大きいときに、前記輝度設定値を前記ベース値から大きくすることにより、前記バックライトの輝度を大きくする、
輝度調整方法。
【発明の詳細な説明】
【技術分野】
【０００１】
本発明は、自動取引装置及びその輝度調整方法に関する。
【背景技術】
【０００２】
近年、ＡＴＭ（Automated Teller Machine）等の自動取引装置は、銀行等の金融機関のみならず、コンビニエンスストア、公共施設等の様々な場所に設置されている。この自動取引装置を利用することにより、例えば銀行に口座を有している顧客は、銀行の窓口を介さずに、その口座からの現金の引き出し、その口座への現金の預け入れ等の現金の取り引きを行うことができる。
【０００３】
自動取引装置の１日当たりの取引回数は、設置されている場所によって大きく異なっている。繁華街のコンビニエンスストアのような、人通りが多く、かつ、自動取引装置の設置台数が少ない場所では、自動取引装置の１日当たりの取引回数は多くなる。来客数の少ない銀行の支店のような、自動取引装置の設置台数が多く、かつ、営業時間の短い場所では、自動取引装置の１日当たりの取引回数は少なくなる。
【０００４】
自動取引装置は、ユーザに情報を表示するための液晶表示部を有している。液晶表示部は、液晶表示パネルと、設定された輝度設定値に基づいて液晶表示パネルの背面から光を照射するバックライトと、を有する。バックライトは経年劣化するため、一定期間経過後には、同じ大きさの電流を流したとしても、製造当初にある輝度設定値を設定して得られた輝度よりも低い輝度の光しか照射できなくなる。
【０００５】
特許文献１に記載の液晶表示装置は、累積通電時間を時計で計測してメモリに保存し、累積通電時間に対してバックライト輝度を補償するような輝度設定値をメモリに記憶させておき、累積通電時間に応じて輝度設定値を補正している。
【先行技術文献】
【特許文献】
【０００６】
【特許文献１】特開２００６−３３０２２２号公報
【発明の概要】
【発明が解決しようとする課題】
【０００７】
一般的な自動取引装置には、液晶表示部への累積通電時間を記憶するための記憶部は設けられていない。特許文献１に記載の液晶表示装置を自動取引装置に適用するためには、累積通電時間を記憶するための記憶部を自動取引装置に設けることが必要になる。そのため、自動取引装置の構成が複雑になるとともに、記憶部のメモリ容量が大きくなりやすいという問題がある。
【０００８】
自動取引装置は、省エネモードを有し、取引を行わないときは液晶表示部を消灯しており、取引を行うときだけ液晶表示部を点灯する。自動取引装置は、液晶表示部を短い時間でオンとオフとを繰り返している。特許文献１に記載の液晶表示装置を自動取引装置に適用しても、累積通電時間を計測することが難しいという問題がある。
【０００９】
本発明は、このような問題を解決するためになされたものであり、簡単な構成で液晶表示部の輝度の経年劣化を補償するようにバックライトの光量を制御できる自動取引装置及びその輝度調整方法を提供することを目的とする。
【課題を解決するための手段】
【００１０】
本発明に係る自動取引装置は、
液晶表示パネルと、設定された輝度設定値に基づいて前記液晶表示パネルの背面から光を照射するバックライトと、を有する液晶表示部を備える自動取引装置であって、
前記自動取引装置が取引を行った取引回数を記録する取引回数記憶部と、
前記取引回数が増加したときに前記バックライトが一定の輝度を保つように前記輝度設定値を変更して、前記バックライトに光を照射させる制御部と、を備える。
【００１１】
本発明に係る輝度調整方法は、
液晶表示パネルと、設定された輝度設定値に基づいて前記液晶表示パネルの背面から光を照射するバックライトと、を有する液晶表示部を備える自動取引装置における輝度調整方法であって、
前記自動取引装置が取引を行った取引回数を記録し、
前記取引回数が増加したときに前記バックライトが一定の輝度を保つように前記輝度設定値を変更して、前記バックライトに光を照射させる。
【発明の効果】
【００１２】
本発明によれば、簡単な構成で液晶表示部の輝度の経年劣化を補償するようにバックライトの光量を制御できる自動取引装置及びその輝度調整方法を提供することができる。
【図面の簡単な説明】
【００１３】
【図１】実施の形態１に係る自動取引装置のブロック図である。
【図２】実施の形態１に係る自動取引装置の輝度調整方法を示すフロー図である。
【図３】実施の形態１に係る自動取引装置の経過年数と輝度及び電流値との関係を示す図である。
【図４】実施の形態１に係る自動取引装置の周囲の明るさに応じた輝度調整方法を示すフロー図である。
【図５】実施の形態１の変形例に係る自動取引装置の輝度調整方法を示すフロー図である。
【図６】実施の形態２に係る自動取引装置のブロック図である。
【図７】実施の形態２に係る自動取引装置の輝度調整方法を示すフロー図である。
【発明を実施するための形態】
【００１４】
［実施の形態１］
以下、図面を参照して本発明の実施の形態について説明する。
【００１５】
図１に示すように、本実施の形態に係る自動取引装置１００は、液晶表示部１１０と、制御部１０２と、取引回数記憶部１０３と、補正値記憶部１０４と、照度センサ１０５と、を有する。
【００１６】
液晶表示部１１０は、バックライト１１１と、液晶表示パネル１１２と、を有する。バックライト１１１は、制御部１０２により設定された輝度設定値に基づいて液晶表示パネル１１２の背面から光を照射する。バックライト１１１としては、例えば、発光ダイオード（ＬＥＤ：Light Emitting Diode）や冷陰極管が用いられる。液晶表示パネル１１２は、制御部１０２から入力された画像データに基づいて、画素ごとにバックライト１１１からの光の透過と遮光とを切り替えることにより、画像を表示する。
【００１７】
制御部１０２は、バックライト１１１に流す電流値を規定する輝度設定値を設定し、その輝度設定値に基づいてバックライト１１１に光を照射させる。制御部１０２は、取引回数が増加したときにバックライト１１１が一定の輝度を保つように輝度設定値を変更して、バックライト１１１に光を照射させる。例えば、制御部１０２は、現時点での取引回数に対応した補正輝度設定値を補正値記憶部１０４から呼び出して、補正輝度設定値に基づいてバックライト１１１に光を照射させる。
【００１８】
制御部１０２は、ＦＰＧＡ（Field Programmable Gate Array）等のハードウェアで実現されてもよいし、外部の記憶装置に記憶されたプログラムとＣＰＵ（Central Processing Unit）とにより実現されてもよい。
【００１９】
取引回数記憶部１０３は、自動取引装置１００が取引を行った取引回数を記録する。自動取引装置１００おける取引とは、例えば、入金、出金、通帳記帳等である。自動取引装置１００においては、取引を行わないときには節電モードとなって液晶表示部１１０がオフとなっており、取引を行うときのみ液晶表示部１１０がオンとなり、液晶表示部１１０に画像が表示される。そのため、取引回数が多くなるほど、液晶表示部１１０がオンとなっていた累積時間が長くなり、バックライト１１１の経年劣化が進むことになる。バックライト１１１の経年劣化が進むと、ある輝度設定値に対応する電流をバックライト１１１に流したときに、その輝度設定値で想定されていた輝度よりも低い輝度しか得られなくなる。
【００２０】
補正値記憶部１０４は、取引回数が増加したときにバックライト１１１が一定の輝度を保つように補正された補正輝度設定値を記憶している。補正輝度設定値は、取引回数に応じて変化するように設定されており、例えば、取引回数が３万回増加するにつき当初の輝度設定値よりも５％大きくなるように補正輝度設定値が設定されていてもよい。
【００２１】
取引回数記憶部１０３及び補正値記憶部１０４は、フラッシュメモリやＥＥＰＲＯＭ（Electrically Erasable and Programmable Read Only Memory）等の不揮発性メモリで実現されてもよいし、ハードディスクにより実現されてもよい。
【００２２】
照度センサ１０５は、周囲の明るさを検出するためのセンサである。照度センサ１０５としては、例えば、フォトダイオードを用いることが好ましい。自動取引装置１００の周囲の明るさによって、液晶表示部１１０のユーザからの見易さは変化するので、照度センサ１０５により自動取引装置１００の周囲の照度を検出することが好ましい。
【００２３】
図２を用いて、本実施の形態の自動取引装置１００の輝度調整方法について説明する。まず、取引回数記憶部１０３が、自動取引装置１００が取引を行った取引回数を記録する（ＳＴ４０１）。次に、制御部１０２が、現時点での取引回数に対応した補正輝度設定値を補正値記憶部１０４から呼び出す（ＳＴ４０２）。次に、制御部１０２が、補正輝度設定値に基づいてバックライト１１１に光を照射させ、液晶表示パネル１１２に画像を表示させる（ＳＴ４０３）。
【００２４】
図３は、自動取引装置１００の経過年数と輝度及び電流値との関係を示す図である。図３の横軸は設置からの経過年数を表す。図３の左側の縦軸は、液晶表示部１１０の輝度［Ｃｄ／ｍ２］を棒グラフで表し、右側の縦軸はバックライト１１１に流れる電流値［Ａ］を線グラフで表す。
【００２５】
図３に示すように、自動取引装置１００は、上述の輝度調整方法により、取引回数が増加するにつれて大きくなるような補正輝度設定値を設定することにより、バックライト１１１に流れる電流値を取引回数が増加するにつれて大きくすることができる。図３においては、取引回数に代えて経過年数で示しているが、経過年数が大きくなるほど取引回数も多くなることは言うまでもない。
【００２６】
自動取引装置１００は、銀行の窓口やコンビニエンスストアの店内等、様々な場所に配置されている。そのため、自動取引装置１００の周囲の明るさは、配置される場所によって大きく異なる。自動取引装置１００の周囲の明るさによって、液晶表示部１１０のユーザからの見易さは変化する。すなわち、自動取引装置１００の周囲が明るいときには、液晶表示部１１０の輝度を高くする方がユーザから表示内容が見えやすくなり、自動取引装置１００の周囲が暗いときには、液晶表示部１１０の輝度を低くする方がユーザから表示内容が見えやすくなる。
【００２７】
本実施の形態の自動取引装置１００は、周囲の明るさに基づいて、液晶表示部１１０の輝度をベースとなる値から上下させることにより、ユーザに対する表示内容の視認性を向上させることができる。図４を用いて、自動取引装置１００の周囲の明るさに応じた輝度調整方法について説明する。
【００２８】
図４に示すように、まず、照度センサ１０５の検出値がある基準値のときにおける輝度設定値のベース値を設定する（ＳＴ５０１）。次に、照度センサ１０５により周囲の明るさを検出する（ＳＴ５０２）。次に、照度センサ１０５の検出値と基準値との大小を比較する（ＳＴ５０３）。
【００２９】
次に、照度センサ１０５の検出値と基準値との大小関係に基づいて、輝度設定値をベース値に対して増減させる（ＳＴ５０４）。照度センサ１０５の検出値が基準値より小さいときに、輝度設定値をベース値から小さくすることにより、バックライト１１１の輝度を小さくする。照度センサ１０５の検出値が基準値より大きいときに、輝度設定値をベース値から大きくすることにより、バックライト１１１の輝度を大きくする。
【００３０】
本実施の形態に係る自動取引装置１００において、取引回数記憶部１０３は自動取引装置１００が取引を行った取引回数を記録し、制御部１０２は、取引回数が増加したときにバックライト１１１が一定の輝度を保つように輝度設定値を変更して、バックライト１１１に光を照射させる。これにより、液晶表示部１１０の輝度の経年劣化を補償するようにバックライト１１１の光量を制御できるとともに、自動取引装置１００の構成を簡素化することができる。
【００３１】
さらに、本実施の形態に係る自動取引装置１００は、照度センサ１０５により周囲の明るさを検出し、周囲の明るさに応じて輝度設定値を増減させている。これにより、自動取引装置１００は、液晶表示部１１０の輝度を周囲の明るさに応じて最適な値に調整することができるので、液晶表示部１１０の表示内容がユーザにとって見えやすくなる。
【００３２】
以上説明したように、本実施の形態に係る自動取引装置１００によれば、簡単な構成で液晶表示部１１０の輝度の経年劣化を補償するようにバックライト１１１の光量を制御できる自動取引装置を提供することができる。
【００３３】
（変形例）
本実施の形態に係る自動取引装置１００の変形例について説明する。自動取引装置１００の変形例において、補正値記憶部１０４は、補正輝度設定値を記憶する代わりに、取引回数が増加したときにバックライト１１１が一定の輝度を保つように輝度設定値を補正するための補正係数を記憶している。当初の輝度設定値に補正係数を乗じることにより、補正輝度設定値が算出される。
【００３４】
図５を用いて、自動取引装置１００の変形例の輝度調整方法について説明する。図５に示すように、まず、取引回数記憶部１０３が、自動取引装置１００が取引を行った取引回数を記録する（ＳＴ６０１）。制御部１０２は、現時点での取引回数に対応した補正係数を補正値記憶部１０４から呼び出す（ＳＴ６０２）。制御部１０２は、呼び出された補正係数を輝度設定値に乗じることにより、補正輝度設定値を計算する（ＳＴ６０３）。そして、制御部１０２は、補正輝度設定値に基づいてバックライト１１１に光を照射させ、液晶表示パネル１１２に画像を表示させる（ＳＴ６０４）。
【００３５】
［実施の形態２］
図６を用いて、本実施の形態の自動取引装置２００について説明する。図６に示すように、自動取引装置２００は、液晶表示部１１０と、制御部１０２と、取引回数記憶部１０３と、を有する。液晶表示部１１０は、バックライト１１１と、液晶表示パネル１１２と、を有する。
【００３６】
図７を用いて、本実施の形態の自動取引装置２００の輝度調整方法について説明する。まず、取引回数記憶部１０３が、自動取引装置２００が取引を行った取引回数を記録する（ＳＴ７０１）。次に、制御部１０２が、現時点での取引回数を取引回数記憶部１０３から呼び出し、現時点での取引回数に基づいて、一定の輝度を保つように輝度設定値を変更して、バックライト１１１に光を照射させることにより液晶表示パネル１１２に画像を表示させる（ＳＴ７０２）。
【００３７】
本実施の形態に係る自動取引装置２００において、取引回数記憶部１０３は自動取引装置２００が取引を行った取引回数を記録し、制御部１０２は、取引回数が増加したときにバックライト１１１が一定の輝度を保つように輝度設定値を変更して、バックライト１１１に光を照射させる。これにより、液晶表示部１１０の輝度の経年劣化を補償するようにバックライト１１１の光量を制御できるとともに、自動取引装置２００の構成を簡素化することができる。
【符号の説明】
【００３８】
１００            自動取引装置
１０２            制御部
１０３            取引回数記憶部
１０４            補正値記憶部
１０５            照度センサ
１１０            液晶表示部
１１１            バックライト
１１２            液晶表示パネル
２００            自動取引装置
【図１】
0006500536.tif 000002
【図２】
0006500536.tif 000003
【図３】
0006500536.tif 000004
【図４】
0006500536.tif 000005
【図５】
0006500536.tif 000006
【図６】
0006500536.tif 000007
【図７】
0006500536.tif 000008